(57)【要約】【課題】ファインダーに対する眼の近接の状態と、操作表示部に対する操作状態とに適応した処理を実行することが可能な、制御装置、制御方法、およびプログラムを提案する。【解決手段】ファインダーに対する眼の近接の検出の有無と、操作表示部に対する操作状態の検出とに基づいて、撮影または画像の再生に関する処理を実行する処理制御部、を備える、制御装置。【選択図】図１２
2017085982.tif 000002
【特許請求の範囲】
【請求項１】
ファインダーに対する眼の近接の検出の有無と、操作表示部に対する操作状態の検出とに基づいて、撮影または画像の再生に関する処理を実行する処理制御部、
を備える、制御装置。
【請求項２】
前記操作状態は、前記操作表示部に対して同時に行われるタッチ操作の数の組合せによって区別される、請求項１に記載の制御装置。
【請求項３】
前記操作状態は、前記操作表示部に対するタッチ位置に応じて区別される、請求項１に記載の制御装置。
【請求項４】
前記操作状態は、前記操作表示部において予め定められている複数の領域のうち前記タッチ位置がいずれの領域に含まれているかによって区別される、請求項３に記載の制御装置。
【請求項５】
前記操作状態は、さらに、前記操作表示部に対するジェスチャー操作によって区別される、請求項１に記載の制御装置。
【請求項６】
前記ジェスチャー操作は、前記操作表示部に対するなぞり操作を含む、請求項５に記載の制御装置。
【請求項７】
前記ファインダーに対する眼の近接が検出された場合には、前記処理制御部は、前記操作状態に応じて、撮影に関する処理を実行する、請求項１に記載の制御装置。
【請求項８】
前記撮影に関する処理は、撮影パラメータを変更する処理である、請求項７に記載の制御装置。
【請求項９】
前記撮影に関する処理は、構図を定めるためのガイド表示、または撮影に関する設定情報を前記ファインダーに表示させる処理である、請求項７に記載の制御装置。
【請求項１０】
前記撮影に関する処理は、被写体におけるフォーカスが合っている位置を中心とした部分領域の表示態様を変化させる処理である、請求項７に記載の制御装置。
【請求項１１】
前記撮影に関する処理は、撮影直後の画像を前記ファインダーに表示させる処理である、請求項７に記載の制御装置。
【請求項１２】
前記ファインダーに対する眼の近接が検出されない場合には、前記処理制御部は、前記操作状態に応じて、撮影に関する処理の実行を制御する、請求項１に記載の制御装置。
【請求項１３】
前記ファインダーに対する眼の近接が検出されない場合には、前記処理制御部は、前記操作状態に応じて、画像の再生に関する処理の実行を制御する、請求項１に記載の制御装置。
【請求項１４】
前記操作表示部に対する所定の操作が検出され、かつ、前記ファインダーに対する眼の近接が検出されない場合には、前記処理制御部は、前記撮影または画像の再生に関する処理を実行する、請求項１に記載の制御装置。
【請求項１５】
前記操作表示部に対する前記所定の操作が検出され、かつ、前記ファインダーに対する眼の近接が検出された場合には、前記処理制御部は、前記撮影または画像の再生に関する処理を実行しない、請求項１４に記載の制御装置。
【請求項１６】
前記操作表示部に対する所定の操作が検出された場合には、前記処理制御部は、前記ファインダーに対する眼の近接が検出されない場合と前記ファインダーに対する眼の近接が検出される場合とで同一の処理を実行する、請求項１に記載の制御装置。
【請求項１７】
前記処理制御部は、さらに、撮影レンズの外周部におけるタッチ操作部に対する操作の検出に基づいて、前記撮影または画像の再生に関する処理を実行する、請求項１に記載の制御装置。
【請求項１８】
前記処理制御部は、さらに、撮影装置に設けられている操作ボタンの押下の検出に基づいて、前記撮影または画像の再生に関する処理を実行する、請求項１に記載の制御装置。
【請求項１９】
ファインダーに対する眼の近接の検出の有無と、操作表示部に対する操作状態の検出とに基づいて、撮影または画像の再生に関する処理を実行すること、
を備える、制御方法。
【請求項２０】
コンピュータを、
ファインダーに対する眼の近接の検出の有無と、操作表示部に対する操作状態の検出とに基づいて、撮影または画像の再生に関する処理を実行する処理制御部、
として機能させるための、プログラム。
【発明の詳細な説明】
【技術分野】
【０００１】
本開示は、制御装置、制御方法、およびプログラムに関する。
【背景技術】
【０００２】
近年、例えばＥＶＦ（Ｅｌｅｃｔｒｏｎｉｃ  ｖｉｅｗｆｉｎｄｅｒ）などのファインダーが搭載されたデジタルカメラが普及している。このようなデジタルカメラでは、ユーザはファインダーを覗くことにより、撮影画像の構図の決定や、フォーカスの調節を容易に行うことができる。【０００３】
また、タッチパネルが搭載されたデジタルカメラも開発されている。例えば、特許文献１には、ユーザがファインダーに眼を近接させていない場合には背面表示部にスルー画を表示させ、また、ユーザがファインダーに眼を近接させている場合にはファインダーの表示画面上にスルー画を表示させる技術が記載されている。また、特許文献２には、ユーザがファインダーを覗きながら、背面ディスプレイに表示されているアイコンをタッチすることによりモードの切り替え等を実行可能とする技術が記載されている。
【先行技術文献】
【特許文献】
【０００４】
【特許文献１】特開２０１４−３８１９５号公報
【特許文献２】特開２０１４−１６１０６６号公報
【発明の概要】
【発明が解決しようとする課題】
【０００５】
しかしながら、特許文献２に記載の技術では、ユーザがファインダーに眼を近接させているか否かによらずに同じ表示画面が背面ディスプレイに表示される。すなわち、特許文献２に記載の技術では、ユーザがファインダーに眼を近接させているか否かによって、実行する処理を異ならせることができない。【０００６】
そこで、本開示では、ファインダーに対する眼の近接の状態と、操作表示部に対する操作状態とに適応した処理を実行することが可能な、新規かつ改良された制御装置、制御方法、およびプログラムを提案する。
【課題を解決するための手段】
【０００７】
本開示によれば、ファインダーに対する眼の近接の検出の有無と、操作表示部に対する操作状態の検出とに基づいて、撮影または画像の再生に関する処理を実行する処理制御部、を備える、制御装置が提供される。【０００８】
また、本開示によれば、ファインダーに対する眼の近接の検出の有無と、操作表示部に対する操作状態の検出とに基づいて、撮影または画像の再生に関する処理を実行すること、を備える、制御方法が提供される。【０００９】
また、本開示によれば、コンピュータを、ファインダーに対する眼の近接の検出の有無と、操作表示部に対する操作状態の検出とに基づいて、撮影または画像の再生に関する処理を実行する処理制御部、として機能させるための、プログラムが提供される。
【発明の効果】
【００１０】
以上説明したように本開示によれば、ファインダーに対する眼の近接の状態と、操作表示部に対する操作状態とに適応した処理を実行することができる。なお、ここに記載された効果は必ずしも限定されるものではなく、本開示中に記載されたいずれかの効果であってもよい。
【図面の簡単な説明】
【００１１】
【図１】本開示の実施形態による撮影装置１０‐１を使用してユーザが撮影している様子を示した説明図である。
【図２】撮影および再生に関するワークフローの一例を示したフローチャートである。
【図３】撮影および再生に関するワークフローの一例を示したフローチャートである。
【図４】同実施形態による撮影装置１０‐１の内部構成を示した機能ブロック図である。
【図５】同実施形態によるＥＶＦ１２２に対する眼の近接の状態の例を示した説明図である。
【図６】同実施形態による操作表示部１２６に対するタッチの状態の区別の一例を示した説明図である。
【図７】同実施形態による操作表示部１２６が４つの領域に分割される例を示した説明図である。
【図８】同実施形態による操作表示部１２６に対するユーザのタッチジェスチャーの一例を示した説明図である。
【図９】同実施形態の適用例１による、処理の対応付けの例を示した説明図である。
【図１０】同実施形態の適用例２による、処理の対応付けの例を示した説明図である。
【図１１】同実施形態の適用例３による、処理の対応付けの例を示した説明図である。
【図１２】同実施形態による動作を示したフローチャートである。
【図１３】同実施形態の応用例１によるタッチ操作部１３０をユーザが操作している様子を示した説明図である。
【図１４】同応用例１による撮影装置１０‐２の内部構成を示した機能ブロック図である。
【図１５】同応用例１による、処理の対応付けの例を示した説明図である。
【図１６】同実施形態の応用例２による撮影装置１０‐３の外観の一例を示した説明図である。
【図１７】同応用例２による撮影装置１０‐３の内部構成を示した機能ブロック図である。
【図１８】同応用例２による、処理の対応付けの例を示した説明図である。
【図１９】本開示の変形例による制御システムの構成例を示した説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて操作ボタン１３２ａおよび操作ボタン１３２ｂのように区別する。ただし、実質的に同一の機能構成を有する複数の構成要素の各々を特に区別する必要がない場合、同一符号のみを付する。例えば、操作ボタン１３２ａおよび操作ボタン１３２ｂを特に区別する必要が無い場合には、単に操作ボタン１３２と称する。
【００１４】
また、以下に示す項目順序に従って当該「発明を実施するための形態」を説明する。
１．撮影装置１０‐１の基本構成
２．実施形態の詳細な説明
３．応用例
４．変形例
【００１５】
＜＜１．撮影装置１０‐１の基本構成＞＞
＜１−１．基本構成＞
まず、本開示の実施形態による撮影装置１０‐１の基本構成について、図１を参照して説明する。図１は、ユーザが撮影装置１０‐１を使用して撮影している様子を示した説明図である。
【００１６】
撮影装置１０‐１は、本開示における制御装置の一例である。この撮影装置１０‐１は、外環境の映像を撮影したり、または、撮影した画像を再生するための装置である。ここで、撮影は、実際に画像を記録すること、または、モニター画を表示することである。
【００１７】
また、撮影装置１０‐１は、ファインダーを備える。ここで、ファインダーは、ユーザが眼を近接させる（以下、「覗く」と称する場合もある）ことにより、例えば撮影前の構図を決めたり、フォーカスを合せるための覗き窓である。例えば、図１に示したように、ファインダーは、ＥＶＦ１２２である。ＥＶＦ１２２は、撮影装置１０‐１に含まれる撮像素子（図示省略）により取得された画像情報を表示する。
【００１８】
但し、かかる例に限定されず、ファインダーは、光学ビューファインダーであってもよい。なお、以下では、（撮影装置１０‐１が備える）ファインダーがＥＶＦ１２２である例を中心として説明を行う。
【００１９】
また、撮影装置１０‐１は、例えば筐体の背面側に操作表示部１２６を備える。この操作表示部１２６は、撮影された画像などの各種の情報を表示する表示部、およびユーザによる操作を検出する操作部としての機能を有する。表示部としての機能は、例えば、液晶ディスプレイ（ＬＣＤ：Ｌｉｑｕｉｄ  Ｃｒｙｓｔａｌ  Ｄｉｓｐｌａｙ）装置や、ＯＬＥＤ（Ｏｒｇａｎｉｃ  Ｌｉｇｈｔ  Ｅｍｉｔｔｉｎｇ  Ｄｉｏｄｅ）装置などにより実現される。また、操作部としての機能は例えばタッチパネルにより実現される。
【００２０】
＜１−２．背景＞
ところで、従来、ＥＶＦを備えたデジタルカメラが普及している。ここで、本開示の特徴を明確に示すために、公知のデジタルカメラを用いた撮影および再生に関するワークフローの一例について、図２および図３を参照して説明する。
【００２１】
図２に示したように、まず、ユーザは、撮影現場で撮影設定を行う（Ｓ９０１）。そして、設定された撮影設定の内容をユーザが確認する場合には（Ｓ９０３：Ｙｅｓ）、ユーザは例えばデジタルカメラに付属の所定のボタンを押下する。そして、デジタルカメラは、設定された撮影情報をデジタルカメラの背面ディスプレイに表示する（Ｓ９０５）。その後、ユーザが撮影を希望する場合には（Ｓ９０７：Ｙｅｓ）、ユーザは、ＥＶＦを覗くことによりフレーミングを行う（Ｓ９０９）。
【００２２】
その後、デジタルカメラは、ユーザにより例えばシャッターボタンが半押しされると、合焦の処理を行う（Ｓ９１１）。その後、被写体におけるフォーカスが合っている位置を中心とした部分領域（以下、フォーカス領域と称する場合がある）の拡大をユーザが希望する場合には（Ｓ９１３：Ｙｅｓ）、ユーザは、例えばフォーカス領域の拡大が割り当てられたカスタムボタンを押下する。そして、デジタルカメラは、フォーカス領域を拡大表示する（Ｓ９１５）。
【００２３】
その後、デジタルカメラは、ユーザにより例えばシャッターボタンが全押しされると、撮影を行う（Ｓ９１７）。
【００２４】
ここで、図３を参照して、Ｓ９１７より後の動作について説明する。図３に示したように、Ｓ９１７の後、撮影された画像を確認することをユーザが希望する場合には（Ｓ９２１：Ｙｅｓ）、ユーザは、撮影画像をプレビュー表示するための所定の操作を行う。そして、デジタルカメラは、撮影された画像をＥＶＦにプレビュー表示する（Ｓ９２３）。なお、予めプレビュー表示が自動表示に設定されている場合には、Ｓ９２１〜Ｓ９２３において、撮影された画像がＥＶＦに自動的にプレビュー表示される。
【００２５】
その後、撮影された画像の再生をユーザが希望しない場合には（Ｓ９２５：Ｎｏ）、再びＳ９０１の動作を行う。一方、撮影された画像の再生をユーザが希望する場合には（Ｓ９２５：Ｙｅｓ）、ユーザは、例えばデジタルカメラに付属の再生ボタンを押下する。そして、デジタルカメラは、一枚の画像を再生する、つまり背面ディスプレイに表示する（Ｓ９２７）。その後、再生された画像を拡大することをユーザが希望する場合には（Ｓ９２９：Ｙｅｓ）、ユーザは例えばデジタルカメラに付属の再生拡大ボタンを押下する。そして、デジタルカメラは、再生中の画像を拡大表示する（Ｓ９３１）。その後、再生中の画像が良く撮れた画像であるとユーザが判断した場合には（Ｓ９３３：Ｙｅｓ）、ユーザは、例えばデジタルカメラに付属のレーティングボタンを押下したり、または、レーティングを行うための所定の入力を行う。そして、デジタルカメラは、再生中の画像に対してレーティングの処理を実行する（Ｓ９３５）。一方、再生中の画像が良く撮れていない画像であるとユーザが判断した場合には（Ｓ９３３：Ｎｏ）、ユーザは、例えばデジタルカメラに付属の削除ボタンを押下する。そして、デジタルカメラは、再生中の画像を削除する（Ｓ９３７）。あるいは、Ｓ９３５およびＳ９３７の代わりに、デジタルカメラは、例えば、接続されているＰＣ（Ｐｅｒｓｏｎａｌ  Ｃｏｍｐｕｔｅｒ）などの他の装置に対するユーザの入力などに基づいて、再生中の画像を当該他の装置へ転送してもよい。その後、ユーザは、当該他の装置を用いて、転送した画像に対するレーティングなどを行うことも可能である。
【００２６】
Ｓ９３５またはＳ９３７の後に、ユーザが撮影の終了を希望する場合には（Ｓ９３９：Ｙｅｓ）、本ワークフローを終了する。
【００２７】
［１−２−１．課題の整理］
上述したように公知のデジタルカメラでは、原則として機能ごとに押下するボタンが異なっている。このため、所望の機能を実行するためには、ユーザはボタンを押し分ける必要がある。例えば、上述したワークフローにおいて、Ｓ９０５、Ｓ９１５、Ｓ９２３、Ｓ９２７、Ｓ９３１、Ｓ９３５、および、Ｓ９３７では、ユーザは、それぞれ別々のボタンを押下する必要が生じ得る。
【００２８】
また、ボタンの配置によっては、ユーザは構えを崩さなければ所望のボタンを押下することができない場合がある。このため、上述したワークフローに沿った操作をユーザはスムーズに行うことが難しい。
【００２９】
そこで、上記事情を一着眼点にして、本実施形態による撮影装置１０‐１を創作するに至った。本実施形態によれば、ＥＶＦ１２２に対して眼が近接している否かと、操作表示部１２６に対するタッチの状態との組み合わせごとに、撮影または画像の再生に関する処理をユーザは自由に対応付けることが可能である。そして、ユーザは、上述したワークフローに沿った操作をより容易に行うことができる。
【００３０】
＜＜２．実施形態の詳細な説明＞＞
＜２−１．構成＞
次に、本実施形態による撮影装置１０‐１の構成について詳細に説明する。図４は、本実施形態による撮影装置１０‐１の構成を示した機能ブロック図である。図４に示したように、撮影装置１０‐１は、制御部１００、撮像部１２０、ＥＶＦ１２２、検出部１２４、操作表示部１２６、および、記憶部１２８を有する。なお、以下では、上記の説明と重複する内容については説明を省略する。
【００３１】
［２−１−１．制御部１００］
制御部１００は、撮影装置１０‐１に内蔵される例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などのハードウェアを用いて、撮影装置１０‐１の動作を全般的に制御する。また、図４に示したように、制御部１００は、対応付け部１０２、検出結果取得部１０４、および、処理制御部１０６を有する。
【００３２】
［２−１−２．対応付け部１０２］
対応付け部１０２は、例えばユーザによる入力に基づいて、ＥＶＦ１２２に対して眼が近接しているか否かと、操作表示部１２６に対するユーザの操作状態との組み合わせを、撮影または画像の再生に関する所定の処理と対応付ける。これにより、ＥＶＦ１２２に対して眼が近接しているか否かと操作表示部１２６に対するユーザの操作状態との組み合わせごとに、ユーザは所望の処理をそれぞれ対応付けることができる。ここで、操作状態とは、操作表示部１２６に対するタッチ操作の状態、または、近接操作（操作表示部１２６に対する近接の判定に基づく操作）の状態である。なお、以下では、操作状態がタッチ操作の状態である例について説明を行う。
【００３３】
図５は、ＥＶＦ１２２に対する眼の近接の状態の例を示した説明図である。図５の（Ａ）は、ＥＶＦ１２２に対してユーザが眼を近接させている場合であり、また、図５の（Ｂ）は、ＥＶＦ１２２に対してユーザが眼を近接させていない場合を示している。
【００３４】
また、タッチの状態は、例えば、ユーザの２本の手の各々が操作表示部１２６に対して同時に行われるタッチ操作の数の組合せによって、４種類以上に区別される。例えば、図６に示したように、タッチの状態は、操作表示部１２６をユーザが全くタッチしていない場合（図６の（Ａ））と、操作表示部１２６をユーザが右手のみでタッチしている場合（図６の（Ｂ））と、操作表示部１２６をユーザが左手のみでタッチしている場合（図６の（Ｃ））と、操作表示部１２６をユーザが両手でタッチしている場合（図６の（Ｄ））とに区別される。なお、例えば、タッチの状態が４種類定義されている場合には、（ＥＶＦ１２２に対して眼が近接しているか否かとタッチの状態との）組み合わせの個数は８（＝２×４）個になる。
【００３５】
または、タッチの状態は、操作表示部１２６に対するユーザのタッチ位置に応じて区別されることも可能である。例えば、操作表示部１２６において予め定められている複数の領域のうちユーザのタッチ位置がいずれの領域に含まれているかによって、タッチの状態は区別されてもよい。例えば、図７に示した例では、操作表示部１２６が４個の領域に分割されており、そして、この４個の領域のうちいずれの領域にユーザのタッチ位置が含まれているかによってタッチの状態が区別され得る。
【００３６】
または、タッチの状態は、操作表示部１２６に対するジェスチャー操作によって区別され得る。例えば、タッチの状態は、操作表示部１２６に対するジェスチャー操作の種類によって区別されてもよいし、操作表示部１２６に対するジェスチャー操作の有無によって区別されてもよい。ここで、ジェスチャー操作は、例えば、操作表示部１２６に対するドラッグ操作、フリック、スワイプ、ピンチ、または、タップなどを含む。また、ジェスチャー操作の種類は、さらに、操作の継続時間の長さ（例えば長押し）、操作の回数、または、タッチの力の強さによって区別されてもよい。また、ジェスチャー操作の種類は、さらに、操作に用いられる指の本数によって区別され得る。例えば、図８に示したような、操作表示部１２６を上から下へ右手の親指のみでスワイプする操作（図８の（Ａ））と、操作表示部１２６を上から下へ両手の親指でスワイプする操作（図８の（Ｂ））とは、異なる種類の操作として区別される。
【００３７】
（２−１−２−１．対応付け例）
ここで、対応付け部１０２による対応付けの一例について説明する。例えば、ＥＶＦ１２２に対して眼が近接している場合に対して、撮影に関する処理が対応付けられ得る。例えば、ＥＶＦ１２２に対して眼が近接している場合に対して、撮影パラメータを変更する処理が対応付けられてもよい。ここで、撮影パラメータを変更する処理は、例えば、ＮＤフィルタの実行、ローパスフィルタの起動または切り替え、オートＨＤＲ機能の起動、オートフォーカスとマニュアルフォーカスとの切り替え処理、シャッタースピードの変更、絞りの調整、ＩＳＯ感度の変更、または、ホワイトバランスの調整などである。または、この場合に対して、ヒストグラムをＥＶＦ１２２に表示させる処理が対応付けられてもよい。
【００３８】
または、ＥＶＦ１２２に対して眼が近接している場合に対して、構図を定めるためのガイド表示をＥＶＦ１２２に表示させる処理が対応付けられてもよい。ここで、ガイド表示は、例えば、グリッドラインまたは水準器などである。これらの対応付け例によれば、ユーザはＥＶＦ１２２を覗いている際に構図を決めやすくなる。
【００３９】
または、ＥＶＦ１２２に対して眼が近接している場合に対して、フォーカス領域の表示態様を変化させる処理が対応付けられてもよい。例えば、この場合に対して、ピーキング機能（つまり、フォーカス領域を特定の色などで強調して表示すること）の起動や、フォーカス領域の拡大などが対応付けられてもよい。これらの対応付け例によれば、マニュアルフォーカス（またはオートフォーカス）の使用時にユーザがより容易にフォーカスを追い込むことが可能となる。
【００４０】
または、ＥＶＦ１２２に対して眼が近接している場合に対して、絞りプレビュー（つまり、設定された絞り値によって撮影される画像を撮影前に表示すること）、または、撮影に関する設定情報をＥＶＦ１２２に表示させる処理が対応付けられてもよい。ここで、撮影に関する設定情報は、例えば、オートフラッシュの設定の有無、セルフタイマーに関する設定情報、オートフォーカスの設定の有無、または、顔認識機能の設定の有無などの情報を含む。これらの対応付け例によれば、ＥＶＦ１２２を覗いている場合であっても、撮影に関する設定情報をユーザは特別な操作を行うことなく確認することができる。
【００４１】
または、ＥＶＦ１２２に対して眼が近接している場合に対して、撮影された画像を例えば撮影直後にＥＶＦ１２２にプレビュー表示する処理が対応付けられてもよい。
【００４２】
また、ＥＶＦ１２２に対して眼が近接していない場合に対して、撮影に関する処理が対応付けられ得る。例えば、ＥＶＦ１２２を覗いていない場合に対して、撮影に関する設定情報を操作表示部１２６に表示させる処理、撮影された画像を操作表示部１２６にプレビュー表示する処理、または、ライブビュー撮影（つまり、ＥＶＦ１２２をユーザが覗かずに撮影を行うこと）などが対応付けられてもよい。
【００４３】
または、ＥＶＦ１２２に対して眼が近接していない場合に対して、画像の再生に関する処理が対応付けられ得る。例えば、ＥＶＦ１２２を覗いていない場合に対して、一枚の画像を操作表示部１２６に表示させる処理、再生中の画像を拡大表示する処理、再生中の画像に対するレーティングの実行、再生中の画像を削除する処理、または、撮影された画像を例えばスマートフォンなどの他の装置へ転送する処理などが対応付けられてもよい。
【００４４】
または、ＥＶＦ１２２に対して眼が近接していない場合に対して、操作表示部１２６を画面消灯する処理が対応付けられてもよい。この対応付け例によれば、例えば撮影装置１０‐１の使用をユーザが中止した場合などに、消費電力を抑制することができる。また、画面消灯するための特別の操作をユーザが行う必要が無くなる。
【００４５】
または、操作表示部１２６に対する所定の操作が行われた場合に関して、ＥＶＦ１２２に対して眼が近接していない場合に対しては所定の処理が対応付けられるが、ＥＶＦ１２２に対して眼が近接している場合に対しては（全く）処理が対応付けられなくてもよい。この対応付けの例は、図９を参照して後述する。
【００４６】
または、操作表示部１２６に対する所定の操作が行われた場合に対して、ＥＶＦ１２２に対して眼が近接しているか否かに関わらずに、同一の処理が対応付けられてもよい。この対応付けの例は、図１１を参照して後述する。
【００４７】
‐タッチ位置
または、操作表示部１２６を例えば左右のいずれかの手でタッチする場合に対して、マルチカメラコントロールの機能が対応付けられてもよい。例えば、操作表示部１２６を左右のいずれかの手でタッチした場合に対して、他の撮影装置１０‐１ｂに対する撮影の制御、他の撮影装置１０‐１ｂに対する画像などのデータの送信の制御、または、他の撮影装置１０‐１ｂから受信される撮影画像を操作表示部１２６に表示させる処理が対応付けられてもよい。
【００４８】
‐ジェスチャー操作
または、図８の（Ａ）で示したような、操作表示部１２６を上から下へ右手のみでスワイプする操作に対して、再生中の画像を削除する処理が対応付けられてもよい。この対応付け例によれば、ユーザは直感的に画像を削除することができる。また、図８の（Ｂ）で示したような、操作表示部１２６を上から下へ両手でスワイプする操作に対して、再生中の画像に対するレーティングを実行する処理が対応付けられてもよい。なお、このレーティングは、操作表示部１２６をなぞる距離が大きいほど、より高い点数が付加されるようなレーティングであってもよい。
【００４９】
または、操作表示部１２６における上方の位置を長押しする場合に対しては、フォーカス領域を拡大表示する処理、また、操作表示部１２６における下方の位置を長押しする場合に対しては、フォーカス領域を縮小表示する処理がそれぞれ対応付けられてもよい。または、操作表示部１２６において長押しする場合に対して、フォーカス領域を拡大表示する処理が対応付けられており、かつ、タッチ位置に応じてフォーカス領域の拡大率が変化するように設定されてもよい。例えば、タッチ位置が上方であるほど、フォーカス領域の拡大率が大きな値に設定されてもよい。
【００５０】
または、操作表示部１２６をユーザが長押しする場合に対して、ヒストグラムを操作表示部１２６に表示させる処理、または、操作表示部１２６に対するタッチ位置の近傍の領域を拡大表示する処理が対応付けられてもよい。
【００５１】
または、操作表示部１２６をユーザが長押しする場合に対して、長押しの継続時間に応じてピーキング（またはグリッドライン等）の表示を終了する処理が対応付けられてもよい。例えば、長押しの継続時間が所定の時間以内である場合にはピーキング（またはグリッドライン等）を表示し、そして、長押しの継続時間が所定の時間を超えた場合にはピーキング（またはグリッドライン等）を自動的に非表示にするように設定されてもよい。この設定例によれば、一旦表示されたピーキングを非表示にするためにユーザは特別の操作を行う必要が無く、例えば手を動かさずにピーキングを非表示にすることができる。
【００５２】
（２−１−２−２．対応関係の記録）
また、対応付け部１０２は、対応付けた結果を記憶部１２８に格納することが可能である。例えば、対応付け部１０２は、ＥＶＦ１２２に対して眼が近接しているか否か、および、操作表示部１２６に対するタッチの状態の組合せと、対応付けられた処理の識別情報との組を全て記憶部１２８に格納する。
【００５３】
［２−１−３．検出結果取得部１０４］
検出結果取得部１０４は、検出部１２４により検出された、ＥＶＦ１２２に対して眼が近接しているか否かの情報を検出部１２４から取得する。また、検出結果取得部１０４は、操作表示部１２６に対するタッチの状態の検出結果を操作表示部１２６から取得する。
【００５４】
［２−１−４．処理制御部１０６］
処理制御部１０６は、検出結果取得部１０４により取得された、ＥＶＦ１２２に対して眼が近接しているか否かの検出結果と、操作表示部１２６に対するタッチの状態の検出結果とに対応付けられている処理を実行する。例えば、処理制御部１０６は、まず、ＥＶＦ１２２に対して眼が近接しているか否かの検出結果と、検出されたタッチの状態とに対応付けて記憶部１２８に格納されている処理の識別情報を記憶部１２８から抽出する。そして、処理制御部１０６は、抽出した識別情報が示す処理を実行する。
【００５５】
また、処理制御部１０６は、さらに、ＥＶＦ１２２に対して眼が近接しているか否かによって、操作表示部１２６の設定モードを変更することも可能である。例えば、ＥＶＦ１２２に対して眼が近接している場合には、処理制御部１０６は、操作表示部１２６をタッチパネルモードに設定する。このタッチパネルモードでは、操作表示部１２６に画面が表示され、かつ、タッチ操作による位置指定が絶対位置による指定となる。また、ＥＶＦ１２２に対して眼が近接していない場合には、処理制御部１０６は、操作表示部１２６をタッチパッドモードに設定する。このタッチパッドモードでは、基本的には、操作表示部１２６が画面消灯になり、かつ、タッチ操作による位置指定が相対位置による指定となる。なお、変形例として、タッチパッドモードにおいて、操作表示部１２６に画面が表示されてもよい。
【００５６】
［２−１−５．撮像部１２０］
撮像部１２０は、外部の映像を、レンズを通して例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子に結像させることにより、画像を撮影する。
【００５７】
［２−１−６．検出部１２４］
検出部１２４は、ユーザによる撮影装置１０‐１の使用状態などを検出する。例えば、検出部１２４は、赤外線などを用いて、ＥＶＦ１２２に対して眼が近接しているか否かを検出する。一例として、検出部１２４は、赤外線センサによりＥＶＦ１２２付近で物体が検出された場合に、ＥＶＦ１２２に対して眼が近接していると判定する。すなわち、検出部１２４は、（ＥＶＦ１２２に近接している）物体が眼であるか否かについては判別しなくてもよい。
【００５８】
［２−１−７．記憶部１２８］
記憶部１２８は、各種のデータや各種のソフトウェアを記憶する。例えば、記憶部１２８は、対応付け部１０２による対応付けの結果を示す情報を記憶する。
【００５９】
なお、本実施形態による撮影装置１０‐１の構成は、上述した構成に限定されない。例えば、ＥＶＦ１２２に対して眼が近接しているか否かを（検出部１２４の代わりに）ＥＶＦ１２２自体が検出可能である場合には、検出部１２４は撮影装置１０‐１に含まれなくてもよい。
【００６０】
＜２−２．適用例＞
以上、本実施形態による構成について説明した。次に、本実施形態による適用例について「２−２−１．適用例１」〜「２−２−３．適用例３」において説明する。なお、以下では、タッチの状態が、ユーザの２本の手の各々が操作表示部１２６にタッチしているか否かの４種類に区分されている場合における処理の対応付け例について説明する。また、以下で説明する対応付け例はあくまで一例であり、かかる例に限定されず、任意の対応付けが可能である。
【００６１】
［２−２−１．適用例１］
まず、図９を参照して、適用例１について説明する。この適用例１は、フォーカス領域の確認および再生中の画像の確認を重視して、各状態に対して処理が対応付けられた場合の例である。
【００６２】
例えば、図９に示したように、ＥＶＦ１２２をユーザが覗いている場合に関しては、操作表示部１２６をユーザが全くタッチしていない場合に対して「通常の撮影モード」が対応付けられており、また、操作表示部１２６をユーザが右手だけでタッチする場合に対して「タッチしている間だけフォーカス領域を拡大表示する処理」が対応付けられている。
【００６３】
また、ＥＶＦ１２２をユーザが覗いていない場合に関しては、操作表示部１２６をユーザが全くタッチしていない場合に対して「操作表示部１２６を画面消灯する処理」が対応付けられており、また、操作表示部１２６をユーザが右手だけでタッチしている場合に対して「撮影に関する設定情報を操作表示部１２６に表示させる処理」が対応付けられており、また、操作表示部１２６をユーザが左手だけでタッチしている場合に対して「画像を一枚再生する処理」が対応付けられており、また、操作表示部１２６をユーザが両手でタッチしている場合に対して「再生中の画像を拡大表示する処理」が対応付けられている。
【００６４】
この適用例１によれば、撮影時におけるフォーカス領域の確認に関する操作、および、再生中の画像の確認に関する操作をユーザは容易に行うことができる。例えば、ＥＶＦ１２２をユーザが覗いている場合には、操作表示部１２６を右手でタッチするだけで、フォーカス領域を拡大表示することができる。また、ＥＶＦ１２２を覗いていない場合には、操作表示部１２６を両手でタッチするだけで、再生中の画像を拡大表示することができる。
【００６５】
なお、図９に示した例では、状態２０‐１ｃおよび状態２０‐１ｄには、処理が対応付けられていない。この理由は、以下のような事情による。通常、ＥＶＦ１２２をユーザが覗いている場合には、左手は撮影レンズをホールドする構えとなる。このため、ユーザが構えを崩さずに、左手で操作表示部１２６をタッチすることは困難だからである。但し、かかる例に限定されず、状態２０‐１ｃまたは状態２０‐１ｄにも何らかの処理が対応付けられることも可能である。
【００６６】
［２−２−２．適用例２］
次に、図１０を参照して、適用例２について説明する。この適用例２は、ＥＶＦ１２２をユーザが覗いていない場合に関しては全て、再生に関する処理が対応付けられた例である。なお、図１０に示したように、ＥＶＦ１２２をユーザが覗いている場合に関しては、例えば、（図９に示した）適用例１と同様に対応付けられる。
【００６７】
また、図１０に示したように、ＥＶＦ１２２をユーザが覗いていない場合に関しては、操作表示部１２６をユーザが全くタッチしていない場合に対して「画像を一枚再生する処理」が対応付けられており、また、操作表示部１２６をユーザが右手だけでタッチしている場合に対して「再生中の画像を拡大表示する処理」が対応付けられている。この理由は、第１に、操作表示部１２６をユーザが全くタッチしていない場合では、（操作表示部１２６がユーザの手で隠れないので）画像全体を表示するのが有効だからである。第２に、操作表示部１２６をユーザが片手のみでタッチしている場合では、操作表示部１２６の一部がユーザの手で隠れてしまうので、全体の画像のうちの一部のみを中心的に表示するのが有効だからである。
【００６８】
また、操作表示部１２６をユーザが左手だけでタッチしている場合に対して「再生中の画像を削除する処理」が対応付けられており、また、操作表示部１２６をユーザが両手でタッチしている場合に対して「再生中の画像に対してレーティングを実行する処理」が対応付けられている。
【００６９】
この適用例２では、ＥＶＦ１２２をユーザが覗いていない場合に関しては全て、再生に関する処理が対応付けられている。このため、例えば画像の再生、拡大表示、削除、またはレーティングなどの、再生に関する多くの種類の処理をユーザは容易に行うことができる。
【００７０】
［２−２−３．適用例３］
次に、図１１を参照して、適用例３について説明する。この適用例３は、ＥＶＦ１２２に対して眼が近接しているか否かに関わらずに、操作表示部１２６を片方の手（右手）でタッチする場合に対して、撮影画像をプレビュー表示する処理が対応付けられた例である。
【００７１】
例えば、図１１に示したように、ＥＶＦ１２２をユーザが覗いている場合に関しては、操作表示部１２６をユーザが全くタッチしていない場合に対して「通常の撮影モード」が対応付けられており、また、操作表示部１２６をユーザが右手だけでタッチする場合に対して「撮影した画像をプレビュー表示する処理」が対応付けられている。
【００７２】
また、ＥＶＦ１２２を覗いていない場合に関しては、操作表示部１２６をユーザが全くタッチしていない場合に対して「画像を一枚再生する」処理が対応付けられており、また、操作表示部１２６をユーザが右手だけでタッチする場合に対して「撮影した画像をプレビュー表示する処理」が対応付けられており、また、操作表示部１２６をユーザが左手だけでタッチする場合に対して「再生中の画像を拡大表示する処理」が対応付けられており、また、操作表示部１２６をユーザが両手でタッチする場合に対して「再生中の画像に対してレーティングを実行する処理」が対応付けられている。
【００７３】
この適用例３によれば、撮影した画像をユーザは迅速、かつ、容易に確認することができる。そして、画像が良く撮れたとユーザが感じた場合には、当該画像の拡大表示や、レーティングの実行を容易に行うことができる。
【００７４】
［２−２−４．変形例］
なお、上述した適用例１〜適用例３は別々に適用される例に限定されず、適宜組み合わされてもよい。例えば、図９に示した例では、状態２０‐１ｆに「撮影に関する設定情報を操作表示部１２６に表示させる処理」が対応付けられる例を示しているが、かかる例の代わりに、「撮影した画像をプレビュー表示する処理」が対応付けられてもよい。また、上述した適用例１〜適用例３における個々の状態２０‐１に関して、対応付けられる処理の種類をユーザが適宜変更することも可能である。
【００７５】
また、上述した適用例１〜適用例３の対応関係の情報は、撮影装置１０‐１にプリインストールされていてもよい。そして、ユーザは、３種類の適用例のうちいずれかを適宜選択することも可能である。
【００７６】
＜２−３．動作＞
以上、本実施形態による適用例について説明した。次に、本実施形態による動作について、図１２を参照して説明する。図１２に示したように、まず、ユーザは、例えば電源ボタンを押下する等により、撮影装置１０‐１の電源をＯＮにする（Ｓ２０１）。
【００７７】
その後、検出部１２４は、ＥＶＦ１２２に対して眼が近接しているか否かを検出する。そして、検出結果取得部１０４は、検出部１２４による検出結果を取得する（Ｓ２０３）。
【００７８】
また、操作表示部１２６は、操作表示部１２６に対するタッチの状態を検出する。そして、検出結果取得部１０４は、操作表示部１２６による検出結果を取得する（Ｓ２０５）。
【００７９】
そして、処理制御部１０６は、Ｓ２０３で取得された、ＥＶＦ１２２に対して眼が近接しているか否かの検出結果と、Ｓ２０５で取得されたタッチの状態の検出結果との組み合わせに対応付けて記憶部１２８に格納されている処理の識別情報を抽出する（Ｓ２０７）。そして、処理制御部１０６は、抽出した識別情報が示す処理を実行する（Ｓ２０９）。
【００８０】
その後、例えばユーザにより電源ボタンを押下される等により、電源がＯＦＦにされた場合には（Ｓ２１１：Ｙｅｓ）、本動作は終了する。一方、電源がＯＮのままである場合には（Ｓ２１１：Ｎｏ）、撮影装置１０‐１は、再びＳ２０３以降の動作を行う。
【００８１】
＜２−４．効果＞
以上説明したように、本実施形態による撮影装置１０‐１は、ＥＶＦ１２２に対して眼が近接しているか否かの検出結果と、操作表示部１２６に対するタッチの状態の検出結果との組み合わせに予め対応付けられている処理を実行する。このため、各ユーザは、ＥＶＦ１２２に対して眼が近接しているか否かと操作表示部１２６に対するタッチの状態との組み合わせごとに、当該ユーザに適した処理をそれぞれ予め対応付けておくことにより、撮影および再生に関する操作をより容易に行うことができる。
【００８２】
例えば、図２および図３に示したワークフローを行う際に、ユーザは、ステップごとに異なるボタンを押し分ける操作が不要となる。従って、ユーザは、構えを崩すことなく、ワークフローの流れをスムーズに行うことができる。また、基本的に、撮影装置１０‐１をユーザが構えたときにタッチしやすい位置に操作表示部１２６は配置されているので、公知のデジタルカメラと比較して、容易に操作することができる。例えば、撮影時におけるフォーカス領域の拡大表示、撮影画像のプレビュー、再生中の画像の拡大表示、または、再生中の画像のレーティングなどをユーザはスムーズに行うことが可能となる。
【００８３】
＜＜３．応用例＞＞
次に、本実施形態の応用例について、「３−１．応用例１」〜「３−２．応用例２」において説明する。なお、以下では、上述した実施形態と重複する内容については説明を省略する。
【００８４】
＜３−１．応用例１＞
まず、応用例１について説明する。図１３は、応用例１による撮影装置１０‐２の外観の一部を示した説明図である。図１３に示したように、応用例１による撮影装置１０‐２では、例えば撮影レンズの外周部の所定の位置にタッチ操作部１３０が設置されている。例えば、タッチ操作部１３０は、撮影レンズの外周の下部に設置され得る。
【００８５】
後述するように、応用例１による撮影装置１０‐２は、ＥＶＦ１２２に対して眼が近接しているか否かと、操作表示部１２６に対するタッチの状態と、タッチ操作部１３０に対するタッチの状態との組み合わせに予め対応付けられている処理を実行することが可能である。
【００８６】
［３−１−１．構成］
図１４は、応用例１による撮影装置１０‐２の構成を示した機能ブロック図である。図１４に示したように、撮影装置１０‐２は、図４に示した撮影装置１０‐１と比較して、タッチ操作部１３０をさらに有する。
【００８７】
タッチ操作部１３０は、ユーザによるタッチ操作を検出する操作部である。なお、変形例として、タッチ操作部１３０は、各種の情報を表示する表示部の機能を有してもよく、例えばタッチパネルであってもよい。
【００８８】
応用例１による対応付け部１０２は、例えばユーザによる入力に基づいて、ＥＶＦ１２２に対して眼が近接しているか否かと、操作表示部１２６に対するタッチの状態と、タッチ操作部１３０に対するタッチの状態との組み合わせを、撮影または画像の再生に関する所定の処理と対応付ける。
【００８９】
応用例１による処理制御部１０６は、検出結果取得部１０４により取得された、ＥＶＦ１２２に対して眼が近接しているか否かの検出結果と、操作表示部１２６に対するタッチの状態の検出結果と、タッチ操作部１３０に対するタッチの状態の検出結果との組み合わせに対応付けられている処理を実行する。
【００９０】
［３−１−２．適用例］
以上、応用例１による構成について説明した。次に、応用例１の適用例について、図１５を参照して説明する。
【００９１】
図１５に示したように、操作表示部１２６をユーザが全くタッチしていない場合、および、操作表示部１２６をユーザが右手だけでタッチしている場合に関しては、タッチ操作部１３０をユーザがタッチしているか否かによって状態がさらに区分される。従って、図９〜図１１に示した、本実施形態による適用例と比較して、別の状態（すなわち、タッチ操作部１３０をユーザがタッチしている状態２０‐２）が４個追加される。
【００９２】
この適用例によれば、上述した実施形態と比較して、処理を対応付け可能な状態の総数を増やすことができる。このため、ユーザは、さらに多くの種類の処理を容易な操作で実行することができる。
【００９３】
＜３−２．応用例２＞
次に、応用例２について説明する。図１６は、応用例２による撮影装置１０‐３の外観の一部を示した説明図である。図１６に示したように、応用例２による撮影装置１０‐３は、筐体上に複数の操作ボタン１３２を有する。この操作ボタン１３２は、例えばユーザが操作表示部１２６にタッチしながらボタンを押下することが可能な位置に配置されている。例えば、図１６の（Ａ）に示した例では、ユーザは右手の親指で操作表示部１２６をタッチしながら、右手の人差し指で操作ボタン１３２ａを押下することができる。また、図１６の（Ｂ）に示した例では、ユーザは（撮影装置１０‐３を左手で把持し、かつ）操作表示部１２６を左手でタッチしながら、右手の指で操作ボタン１３２ｂを押下することができる。
【００９４】
後述するように、応用例２による撮影装置１０‐３は、ＥＶＦ１２２に対して眼が近接しているか否かと、操作表示部１２６に対するタッチの状態と、操作ボタン１３２の押下の状態との組み合わせに予め対応付けられている処理を実行することが可能である。
【００９５】
［３−２−１．構成］
図１７は、応用例２による撮影装置１０‐３の構成を示した機能ブロック図である。図１７に示したように、撮影装置１０‐３は、図４に示した撮影装置１０‐１と比較して、操作ボタン１３２をさらに有する。
【００９６】
応用例２による対応付け部１０２は、例えばユーザによる入力に基づいて、ＥＶＦ１２２に対して眼が近接しているか否かと、操作表示部１２６に対するタッチの状態と、操作ボタン１３２が押下されているか否かとの組み合わせを、撮影または画像の再生に関する所定の処理と対応付ける。
【００９７】
応用例２による処理制御部１０６は、検出結果取得部１０４により取得された、ＥＶＦ１２２に対して眼が近接しているか否かの検出結果と、操作表示部１２６に対するタッチの状態の検出結果と、操作ボタン１３２の押下の検出結果との組み合わせに対応付けられている処理を実行する。例えば、処理制御部１０６は、操作表示部１２６をユーザがタッチしている際の、操作ボタン１３２の押下の検出結果に対応付けられている処理を実行する。
【００９８】
［３−２−２．適用例］
以上、応用例２による構成について説明した。次に、応用例２の適用例について、図１８を参照して説明する。
【００９９】
図１８に示したように、操作表示部１２６をユーザが右手だけでタッチする場合、操作表示部１２６をユーザが左手だけでタッチする場合、および、操作表示部１２６をユーザが両手でタッチする場合に関しては、操作ボタン１３２をユーザが押下しているか否かによって状態がさらに区分される。従って、図９〜図１１に示した、本実施形態による適用例と比較して、別の状態（すなわち、操作ボタン１３２をユーザが押下している状態２０‐３）が６個追加される。
【０１００】
この適用例によれば、上述した実施形態と比較して、処理を対応付け可能な状態の総数を増やすことができる。このため、ユーザは、さらに多くの種類の処理を容易な操作で実行することができる。
【０１０１】
＜３−３．変形例＞
なお、本実施形態の応用例は、上述した応用例１および応用例２に限定されない。例えば、タッチ操作部１３０に対するタッチの状態（応用例１）、または、操作ボタン１３２の押下状態（応用例２）の代わりに、撮影装置１０‐１に設置され得るグリップセンサーまたはタッチセンサーによる検出結果が用いられてもよい。または、撮影レンズに付属しているボタンやフォーカスリングなどに対するタッチの状態もしくは押下状態が用いられてもよい。
【０１０２】
そして、処理制御部１０６は、これらのセンサーの検出結果、または、これらの部位に対するタッチの状態もしくは押下状態の検出結果に対応付けられている処理を実行することが可能である。例えば、ユーザが撮影装置１０‐１から手を離したことがグリップセンサーにより検出された場合には、処理制御部１０６は、操作表示部１２６を画面消灯してもよい。
【０１０３】
＜＜４．変形例＞＞
以上、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１０４】
＜４‐１．変形例１＞
［４−１−１．構成］
例えば、上述した実施形態では、撮影装置１０‐１〜撮影装置１０‐３を用いた撮影または再生に関する適用例について説明したが、かかる例に限定されない。例えば、本開示は、携帯端末を用いてテレビ受像機に対する遠隔操作を行う場面にも適用可能である。図１９は、この変形例１による制御システムの構成例を示した説明図である。図１９に示したように、変形例１による制御システムは、テレビ受像機３０、カメラ３２、および、携帯端末４０を有する。
【０１０５】
カメラ３２は、図１９に示したように、テレビ受像機３０に設置されており、そして、テレビ受像機３０の前方の映像を撮影する。例えば、テレビ受像機３０または携帯端末４０は、カメラ３２による撮影結果に基づいて、テレビ受像機３０の前方に位置する人物がテレビ受像機３０を見ているか否かを判定することが可能である。
【０１０６】
携帯端末４０は、タッチディスプレイを有する携帯型の端末である。例えば、携帯端末４０は、スマートフォンやタブレット端末などであってもよい。
【０１０７】
例えば、ユーザがテレビ受像機３０を見ており、かつ、携帯端末４０のタッチディスプレイをタッチしていることが検出された場合には、携帯端末４０は、タッチディスプレイに操作画面を表示しない（つまり、タッチパッドモードに設定する）。
【０１０８】
また、ユーザが携帯端末４０のタッチディスプレイを見ていることが検出された場合には、携帯端末４０は、タッチディスプレイに操作画面を表示する（つまり、タッチパネルモードに設定する）。なお、ユーザが携帯端末４０のタッチディスプレイを見ているか否かは、例えば、携帯端末４０に設置されているカメラによる撮影映像に基づいて判定されてもよいし、カメラ３２による撮影映像に基づいて判定されてもよいし、これら２種類の撮影映像に基づいて判定されてもよい。
【０１０９】
［４−１−２．ジェスチャー操作の例］
なお、上記の説明では、変形例１による操作方法が携帯端末４０に対するタッチ操作である例について説明したが、かかる例に限定されない。例えば、ポインターデバイスのように、携帯端末４０自体を空間中で動かすジェスチャーにより、テレビ受像機３０に対する遠隔操作を行うことが可能であってもよい。なお、この際、当該ジェスチャーは、例えば、カメラ３２による撮影結果に基づいて認識されてもよいし、他の技術により認識されてもよい。
【０１１０】
＜４‐２．変形例２＞
または、本開示は、医療用途でも適用可能であり、そして、本開示における制御装置は、例えば先端顕微鏡などの医療用機器であってもよい。例えば、顕微鏡または内視鏡にユーザが眼を近接させながら、タッチディスプレイをタッチパッドとして操作する場面に、本開示は適用可能である。一例として、当該医療用機器は、タッチディスプレイに対するタッチ操作に応じて、フォーカスを変化させたり、ズームを変えたり、撮影に関する設定情報を表示させてもよい。
【０１１１】
＜４‐３．変形例３＞
また、上述した実施形態では、本開示における制御装置が撮影装置１０‐１〜撮影装置１０‐３である例について説明したが、かかる例に限定されない。例えば、本開示における制御装置は、スマートフォンなどの携帯電話、タブレット端末、ＰＣ、または、ゲーム機などであってもよい。
【０１１２】
また、上述した実施形態によれば、例えばＣＰＵ、ＲＯＭ、およびＲＡＭなどのハードウェアを、上述した実施形態による撮影装置１０‐１〜撮影装置１０‐３の各構成と同等の機能を発揮させるためのコンピュータプログラムも提供可能である。また、該コンピュータプログラムが記録された記録媒体も提供される。
【０１１３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１４】
なお、以下のような構成も本開示の技術的範囲に属する。
（１）
ファインダーに対する眼の近接の検出の有無と、操作表示部に対する操作状態の検出とに基づいて、撮影または画像の再生に関する処理を実行する処理制御部、
を備える、制御装置。
（２）
前記操作状態は、前記操作表示部に対して同時に行われるタッチ操作の数の組合せによって区別される、前記（１）に記載の制御装置。
（３）
前記操作状態は、前記操作表示部に対するタッチ位置に応じて区別される、前記（１）または（２）に記載の制御装置。
（４）
前記操作状態は、前記操作表示部において予め定められている複数の領域のうち前記タッチ位置がいずれの領域に含まれているかによって区別される、前記（３）に記載の制御装置。
（５）
前記操作状態は、さらに、前記操作表示部に対するジェスチャー操作によって区別される、前記（１）〜（４）のいずれか一項に記載の制御装置。
（６）
前記ジェスチャー操作は、前記操作表示部に対するなぞり操作を含む、前記（５）に記載の制御装置。
（７）
前記ファインダーに対する眼の近接が検出された場合には、前記処理制御部は、前記操作状態に応じて、撮影に関する処理を実行する、前記（１）〜（６）のいずれか一項に記載の制御装置。
（８）
前記撮影に関する処理は、撮影パラメータを変更する処理である、前記（７）に記載の制御装置。
（９）
前記撮影に関する処理は、構図を定めるためのガイド表示を前記ファインダーに表示させる処理である、前記（７）に記載の制御装置。
（１０）
前記撮影に関する処理は、被写体におけるフォーカスが合っている位置を中心とした部分領域の表示態様を変化させる処理である、前記（７）に記載の制御装置。
（１１）
前記撮影に関する処理は、撮影直後の画像を前記ファインダーに表示させる処理である、前記（７）に記載の制御装置。
（１２）
前記ファインダーに対する眼の近接が検出されない場合には、前記処理制御部は、前記操作状態に応じて、撮影に関する処理の実行を制御する、前記（１）〜（１１）のいずれか一項に記載の制御装置。
（１３）
前記ファインダーに対する眼の近接が検出されない場合には、前記処理制御部は、前記操作状態に応じて、画像の再生に関する処理の実行を制御する、前記（１）〜（１１）のいずれか一項に記載の制御装置。
（１４）
前記操作表示部に対する所定の操作が検出され、かつ、前記ファインダーに対する眼の近接が検出されない場合には、前記処理制御部は、前記撮影または画像の再生に関する処理を実行する、前記（１）〜（１３）のいずれか一項に記載の制御装置。
（１５）
前記操作表示部に対する前記所定の操作が検出され、かつ、前記ファインダーに対する眼の近接が検出された場合には、前記処理制御部は、前記撮影または画像の再生に関する処理を実行しない、前記（１４）に記載の制御装置。
（１６）
前記操作表示部に対する所定の操作が検出された場合には、前記処理制御部は、前記ファインダーに対する眼の近接が検出されない場合と前記ファインダーに対する眼の近接が検出される場合とで同一の処理を実行する、前記（１）〜（１５）のいずれか一項に記載の制御装置。
（１７）
前記処理制御部は、さらに、撮影レンズの外周部におけるタッチ操作部に対する操作の検出に基づいて、前記撮影または画像の再生に関する処理を実行する、前記（１）〜（１６）のいずれか一項に記載の制御装置。
（１８）
前記処理制御部は、さらに、撮影装置に設けられている操作ボタンの押下の検出に基づいて、前記撮影または画像の再生に関する処理を実行する、前記（１）〜（１７）のいずれか一項に記載の制御装置。
（１９）
ファインダーに対する眼の近接の検出の有無と、操作表示部に対する操作状態の検出とに基づいて、撮影または画像の再生に関する処理を実行すること、
を備える、制御方法。
（２０）
コンピュータを、
ファインダーに対する眼の近接の検出の有無と、操作表示部に対する操作状態の検出とに基づいて、撮影または画像の再生に関する処理を実行する処理制御部、
として機能させるための、プログラム。
【符号の説明】
【０１１５】
１０‐１、１０‐２、１０‐３  撮影装置
３０  テレビ受像機
３２  カメラ
４０  携帯端末
１００  制御部
１０２  対応付け部
１０４  検出結果取得部
１０６  処理制御部
１２０  撮像部
１２２  ＥＶＦ
１２４  検出部
１２６  操作表示部
１２８  記憶部
１３０  タッチ操作部
１３２  操作ボタン
【図１】
2017085982.tif 000003
【図２】
2017085982.tif 000004
【図３】
2017085982.tif 000005
【図４】
2017085982.tif 000006
【図５】
2017085982.tif 000007
【図６】
2017085982.tif 000008
【図７】
2017085982.tif 000009
【図８】
2017085982.tif 000010
【図９】
2017085982.tif 000011
【図１０】
2017085982.tif 000012
【図１１】
2017085982.tif 000013
【図１２】
2017085982.tif 000014
【図１３】
2017085982.tif 000015
【図１４】
2017085982.tif 000016
【図１５】
2017085982.tif 000017
【図１６】
2017085982.tif 000018
【図１７】
2017085982.tif 000019
【図１８】
2017085982.tif 000020
【図１９】
2017085982.tif 000021
【国際調査報告】
2017085982.tif 000022
2017085982.tif 000023
2017085982.tif 000024
2017085982.tif 000025